(57)【要約】【課題】吐出管にかかる負荷を抑えつつ、吐出弁の外面と吐出管の内面との間のシール性を確保する。【解決手段】吐出管５０は、頂板部４６の内側から下方に向けて延びる本体部５０ａと、本体部の上端部から上方に向けて延びる外側突出部５０ｂと、外側突出部の上端部から径方向の外側に向けて突出した下フランジ部５０ｃと、を備え、吐出弁５１の入口筒５３は、外周面が外側突出部の内周面に当接、若しくは近接し、かつ上端部が外側突出部の上端部より上方に位置した内側突出部５３ｂと、内側突出部の上端部から径方向の外側に向けて突出し、下面が下フランジ部の上面に当接、若しくは近接した上フランジ部５３ｃと、を備え、上フランジ部の下面と下フランジ部の上面との間の少なくとも一部に、全周にわたって連続して延びる環状シール部１０１が配設され、入口筒の下端部５３ａの外周面と、吐出管の本体部の内周面と、の間に、径方向の隙間が設けられている。【選択図】図２
2020055629.tif 000002
【特許請求の範囲】
【請求項１】
内容液が収容される容器本体と、
下端の吸込口が前記容器本体内に配置されるとともに、上端部が前記容器本体から上方に突出した状態で、前記容器本体に固定されたシリンダと、
前記シリンダの上端部に回動可能に取り付けられた回動環と、
上部に吐出弁が設けられ、かつ下部開口が前記シリンダ内に位置する吐出管と、
前記シリンダ内に上下動可能に配設されるとともに、上下動に伴い、前記シリンダの内周面、および前記吐出管の外周面を液密に摺動し、付勢部により下方に付勢された筒状のプランジャと、
前記回動環と前記プランジャとの間に設けられ、前記回動環の前記シリンダに対する回転動作を、前記プランジャの前記シリンダおよび前記吐出管に対する上昇動作に変換する変換機構と、
前記吐出弁に装着され、内容液の吐出口が形成された吐出ヘッドと、
前記吸込口に配設され、前記容器本体内の内容液の前記シリンダ内への流入を許容し、かつ前記シリンダ内の内容液の前記容器本体内への流出を阻止する吸込弁と、
前記シリンダ、前記吸込弁、前記吐出管、および前記プランジャによって囲まれ、前記吸込弁を通して前記容器本体内から前記シリンダ内に流入した内容液が溜められる加圧室と、を備え、
前記変換機構は、前記プランジャを、前記回動環に対して相対回転不能で、かつ上下方向に相対移動可能に支持する中継部材を備え、
前記中継部材は、内側に前記吐出管の上部が挿入された環状の頂板部を備え、
前記吐出管は、前記頂板部の内側から下方に向けて延びる本体部と、前記本体部の上端部から上方に向けて延びる外側突出部と、前記外側突出部の上端部から径方向の外側に向けて突出した下フランジ部と、を備え、
前記吐出弁は、下端部が前記吐出管の本体部内に挿入された入口筒と、前記入口筒に対して上方付勢状態で下方移動可能に配設され、かつ上端部に前記吐出ヘッドが装着された出口筒と、前記出口筒内と前記入口筒内との連通を遮断し、かつ前記出口筒の前記入口筒に対する下方移動時に、前記入口筒内と前記出口筒内とを連通させる弁体と、を備え、
前記入口筒は、外周面が前記外側突出部の内周面に当接、若しくは近接し、かつ上端部が前記外側突出部の上端部より上方に位置した内側突出部と、前記内側突出部の上端部から径方向の外側に向けて突出し、下面が前記下フランジ部の上面に当接、若しくは近接した上フランジ部と、を備え、
前記上フランジ部の下面と前記下フランジ部の上面との間の少なくとも一部に、全周にわたって連続して延びる環状シール部が配設され、
前記入口筒の下端部の外周面と、前記吐出管の本体部の内周面と、の間に、径方向の隙間が設けられている、液体吐出容器。
【請求項２】
前記下フランジ部の上面、および前記上フランジ部の下面のうちのいずれか一方に、他方に形成された環状溝に挿入され、かつ前記環状シール部内に嵌合された環状突起が形成されている、請求項１に記載の液体吐出容器。
【請求項３】
前記外側突出部の内周面、および前記内側突出部の外周面のうちのいずれか一方に、他方に向けて突出する支持突部が、周方向に同等の間隔をあけて３つ以上形成されている、請求項１または２に記載の液体吐出容器。
【請求項４】
前記下フランジ部の下面に、下方に向けて突出し、前記外側突出部の外周面を径方向の外側から囲う囲繞筒が形成され、
前記外側突出部の外周面と、前記囲繞筒の内周面と、を連結する補強リブが、周方向に同等の間隔をあけて３つ以上配設され、
前記支持突部は、前記外側突出部の内周面、および前記内側突出部の外周面のうちのいずれか他方に当接し、
前記補強リブ、および前記支持突部それぞれの周方向の位置は、互いに同等になっている、請求項３に記載の液体吐出容器。
【請求項５】
前記支持突部は、前記下フランジ部の下面のうち、前記外側突出部と前記囲繞筒との間に位置する内周部より上方に位置している、請求項４に記載の液体吐出容器。
【請求項６】
前記支持突部は、前記外側突出部の内周面に形成されている、請求項３から５のいずれか１項に記載の液体吐出容器。
【発明の詳細な説明】
【技術分野】
【０００１】
本発明は、液体吐出容器に関する。
【背景技術】
【０００２】
液体吐出容器として、例えば下記特許文献１に示されるように、内容液が収容される容器本体と、下端の吸込口が容器本体内に配置されるとともに、容器本体に固定されたシリンダと、シリンダに回動可能に取り付けられた回動環と、上部に吐出弁が設けられ、かつ下部開口がシリンダ内に位置する吐出管と、シリンダ内に配置されるとともに、吐出管に液密に上下摺動可能に外嵌され、付勢部により下方に付勢された筒状のプランジャと、回動環とプランジャとの間に設けられ、回動環のシリンダに対する回転動作をプランジャのシリンダに対する上昇動作に変換する変換機構と、吐出弁に装着され、内容液の吐出口が形成された吐出ヘッドと、吸込口に配設され、容器本体内の内容液のシリンダ内への流入を許容し、かつシリンダ内の内容液の容器本体内への流出を阻止する吸込弁と、シリンダ、吸込弁、吐出管、およびプランジャによって囲まれ、吸込弁を通して容器本体内からシリンダ内に流入した内容液が溜められる加圧室と、を備える構成が知られている。
【先行技術文献】
【特許文献】
【０００３】
【特許文献１】特開２０１５−２２７１９６号公報
【発明の概要】
【発明が解決しようとする課題】
【０００４】
しかしながら、前記従来の液体吐出容器では、吐出弁の下端部を吐出管内に圧入することで、吐出弁と吐出管との間のシール性を確保していたので、吐出管には常に径方向外側に向けた押圧力が加えられており、例えば、時間の経過に伴い吐出管に損傷による液漏れ等の問題が生じるおそれがあった。
【０００５】
そこで、本発明は、吐出管にかかる負荷を抑えつつ、吐出弁と吐出管との間のシール性を確保することができる液体吐出容器を提供することを目的とする。
【課題を解決するための手段】
【０００６】
本発明は、上記課題を解決するために以下のような手段を採用した。すなわち、本発明の液体吐出容器は、内容液が収容される容器本体と、下端の吸込口が前記容器本体内に配置されるとともに、上端部が前記容器本体から上方に突出した状態で、前記容器本体に固定されたシリンダと、前記シリンダの上端部に回動可能に取り付けられた回動環と、上部に吐出弁が設けられ、かつ下部開口が前記シリンダ内に位置する吐出管と、前記シリンダ内に上下動可能に配設されるとともに、上下動に伴い、前記シリンダの内周面、および前記吐出管の外周面を液密に摺動し、付勢部により下方に付勢された筒状のプランジャと、前記回動環と前記プランジャとの間に設けられ、前記回動環の前記シリンダに対する回転動作を、前記プランジャの前記シリンダおよび前記吐出管に対する上昇動作に変換する変換機構と、前記吐出弁に装着され、内容液の吐出口が形成された吐出ヘッドと、前記吸込口に配設され、前記容器本体内の内容液の前記シリンダ内への流入を許容し、かつ前記シリンダ内の内容液の前記容器本体内への流出を阻止する吸込弁と、前記シリンダ、前記吸込弁、前記吐出管、および前記プランジャによって囲まれ、前記吸込弁を通して前記容器本体内から前記シリンダ内に流入した内容液が溜められる加圧室と、を備え、前記変換機構は、前記プランジャを、前記回動環に対して相対回転不能で、かつ上下方向に相対移動可能に支持する中継部材を備え、前記中継部材は、内側に前記吐出管の上部が挿入された環状の頂板部を備え、前記吐出管は、前記頂板部の内側から下方に向けて延びる本体部と、前記本体部の上端部から上方に向けて延びる外側突出部と、前記外側突出部の上端部から径方向の外側に向けて突出した下フランジ部と、を備え、前記吐出弁は、下端部が前記吐出管の本体部内に挿入された入口筒と、前記入口筒に対して上方付勢状態で下方移動可能に配設され、かつ上端部に前記吐出ヘッドが装着された出口筒と、前記出口筒内と前記入口筒内との連通を遮断し、かつ前記出口筒の前記入口筒に対する下方移動時に、前記入口筒内と前記出口筒内とを連通させる弁体と、を備え、前記入口筒は、外周面が前記外側突出部の内周面に当接、若しくは近接し、かつ上端部が前記外側突出部の上端部より上方に位置した内側突出部と、前記内側突出部の上端部から径方向の外側に向けて突出し、下面が前記下フランジ部の上面に当接、若しくは近接した上フランジ部と、を備え、前記上フランジ部の下面と前記下フランジ部の上面との間の少なくとも一部に、全周にわたって連続して延びる環状シール部が配設され、前記入口筒の下端部の外周面と、前記吐出管の本体部の内周面と、の間に、径方向の隙間が設けられている。
【０００７】
本発明では、入口筒の下端部の外周面と、吐出管の本体部の内周面と、の間に、径方向の隙間が設けられているので、吐出弁から吐出管に径方向の外側に向けた力が加えられるのを抑制することが可能になり、吐出管にかかる負荷を抑えることができる。
また、上フランジ部の下面と下フランジ部の上面との間の少なくとも一部に、全周にわたって連続して延びる環状シール部が配設されているので、吐出弁の入口筒と吐出管との間のシール性を確保することができる。
また、入口筒における内側突出部の外周面と、吐出管における外側突出部の内周面と、が互いに当接、若しくは近接し、かつ入口筒における上フランジ部の下面と、吐出管における下フランジ部の上面と、が互いに当接、若しくは近接しているので、入口筒の下端部の外周面と、吐出管の本体部の内周面と、の間の径方向の隙間を通して、加圧室に連通し得る、入口筒と吐出管との間の空間をほぼ無くすことができる。したがって、回動環をシリンダに対して回転させ、プランジャをシリンダおよび吐出管に対して上昇させることで、加圧室を負圧にして吸込弁を開き、容器本体内の内容液を加圧室に溜めるときに、入口筒と吐出管との間の空気が、前記隙間を通して加圧室に流入するのを防ぐことが可能になり、加圧室に溜められる内容液の量を安定させることができる。
【０００８】
また、前記下フランジ部の上面、および前記上フランジ部の下面のうちのいずれか一方に、他方に形成された環状溝に挿入され、かつ前記環状シール部内に嵌合された環状突起が形成されてもよい。
【０００９】
この場合、下フランジ部の上面、および上フランジ部の下面のうちのいずれか一方に、他方に形成された環状溝に挿入され、かつ環状シール部内に嵌合された環状突起が形成されているので、吐出弁の入口筒と吐出管との間のシール性を確実に確保することができる。
【００１０】
また、前記外側突出部の内周面、および前記内側突出部の外周面のうちのいずれか一方に、他方に向けて突出する支持突部が、周方向に同等の間隔をあけて３つ以上形成されてもよい。
【００１１】
この場合、外側突出部の内周面、および内側突出部の外周面のうちのいずれか一方に、他方に向けて突出する支持突部が、周方向に間隔をあけて複数形成されているので、入口筒を吐出管に挿入する際に、入口筒の外周面、または吐出管の内周面に、複数の支持突部が摺接することとなり、入口筒および吐出管の径方向の相対位置を容易に決めることができる。
【００１２】
また、前記下フランジ部の下面に、下方に向けて突出し、前記外側突出部の外周面を径方向の外側から囲う囲繞筒が形成され、前記外側突出部の外周面と、前記囲繞筒の内周面と、を連結する補強リブが、周方向に同等の間隔をあけて３つ以上配設され、前記支持突部は、前記外側突出部の内周面、および前記内側突出部の外周面のうちのいずれか他方に当接し、前記補強リブ、および前記支持突部それぞれの周方向の位置は、互いに同等になってもよい。
【００１３】
この場合、支持突部が、外側突出部の内周面、および内側突出部の外周面のうちのいずれか他方に当接しているので、入口筒を吐出管に挿入する際に、入口筒および吐出管の径方向の相対位置を容易かつ確実に決めることができる。
外側突出部の外周面と、囲繞筒の内周面と、を連結する補強リブが配設されているので、外側突出部の拡径変形を抑えることが可能になり、外側突出部に亀裂が発生するのを抑制することができる。
補強リブ、および支持突部それぞれの周方向の位置が、互いに同等になっているので、内側突出部から支持突部を介して外側突出部に径方向の外側に向けた力が加えられても、外側突出部が拡径変形するのを、補強リブにより効果的に抑えることができる。
【００１４】
また、前記支持突部は、前記下フランジ部の下面のうち、前記外側突出部と前記囲繞筒との間に位置する内周部より上方に位置してもよい。
【００１５】
この場合、支持突部が、下フランジ部の下面の内周部より上方に位置しているので、吐出管のうち、内側突出部から支持突部を介して径方向の外側に向けた力が加えられる部分の径方向の肉厚を厚くすることが可能になり、外側突出部に亀裂が発生するのを抑制することができ、仮に亀裂が発生してもこの亀裂が吐出管の外面に到達するのを抑制することができる。
支持突部が、下フランジ部の下面の内周部より上方に位置していることから、外側突出部の内周面と内側突出部の外周面との当接箇所を少なく抑えることが可能になり、内側突出部から支持突部を介して外側突出部に加えられる負荷を抑制することができる。
【００１６】
また、前記支持突部は、前記外側突出部の内周面に形成されてもよい。
【００１７】
この場合、支持突部が、外側突出部の内周面に形成されているので、入口筒を吐出管に挿入する際に、支持突部を、入口筒の外周面における上下方向の長い範囲にわたって摺接させることが可能になり、セット性を向上させることができる。
【発明の効果】
【００１８】
この発明によれば、吐出管にかかる負荷を抑えつつ、吐出弁と吐出管との間のシール性を確保することができる。
【図面の簡単な説明】
【００１９】
【図１】本発明に係る液体吐出容器の一実施形態を示す半縦断面図である。
【図２】図１の液体吐出容器の一部拡大図である。
【図３】図１に示す状態から回動環を回動し始めた状態を示す図である。
【図４】図３に示す状態から回動環の回動が終了した状態を示す図である。
【図５】図４に示す状態から吐出ヘッドを押し下げている状態を示す図である。
【図６】本発明に係る液体吐出容器の第２実施形態を示す半縦断面図の一部拡大図である。
【図７】本発明に係る液体吐出容器の第３実施形態を示す半縦断面図の一部拡大図である。
【発明を実施するための形態】
【００２０】
以下、本発明に係る一実施形態について図面を参照して説明する。
図１に示すように、液体吐出容器１は、内容液が収容される容器本体１０を備えている。容器本体１０は、外周面に雄ねじが設けられた口部１２、胴部１１、および底部を備える有底筒状に形成されている。
以下、容器本体１０における横断面の中央を通る中心軸を容器軸Ｏといい、この容器軸Ｏ方向に沿って口部１２側を上側、底部側を下側といい、容器軸Ｏに沿う方向を上下方向という。また、容器軸Ｏ方向から見た平面視において、容器軸Ｏに交差する方向を径方向といい、容器軸Ｏ回りに周回する方向を周方向という。
【００２１】
容器本体１０の口部１２にシリンダ２０が固定されている。シリンダ２０の下端に形成された吸込口２１ａは、容器本体１０内に配置されている。図示の例では、シリンダ２０は、容器軸Ｏと同軸に配置された多段の筒状に形成され、下方から上方に向けて第１筒部２１、第２筒部２２、第３筒部２３、および第４筒部２４がこの順に連設されており、これらの筒部２１〜２４は上側に位置するものほど内径および外径が大きくなっている。
【００２２】
第４筒部２４の上下方向における略中央から、ネジ筒部２５が径方向外側に向けて突出し、かつ下方に向けて延びている。ネジ筒部２５の内周面には雌ねじが設けられており、シリンダ２０は、ネジ筒部２５を容器本体１０の口部１２に螺合することで容器本体１０に固定されている。口部１２の上端開口縁とネジ筒部２５との間にはパッキン１３が配設されている。
【００２３】
第１筒部２１の上端部と第２筒部２２の下端部とは、環状の弁座部２６を介して連結されている。弁座部２６は容器軸Ｏと同軸に配置されている。
第１筒部２１の内側が前記吸込口２１ａとなっていて、この第１筒部２１の内側に、吸込管２８の上端部が嵌合されている。吸込管２８の下端開口は、容器本体１０内の底部に位置している。吸込口２１ａに、容器本体１０内の内容液のシリンダ２０内への流入を許容し、かつシリンダ２０内の内容液の容器本体１０内への流出を阻止する吸込弁２９が配設されている。吸込弁２９は、弁座部２６の上面に上方に向けて離反可能に当接した弁体２９ａを有している。
第３筒部２３の下端部には、径方向に貫く等圧孔２７が周方向に間隔をあけて複数形成されている。
【００２４】
シリンダ２０は、第２筒部２２内に嵌合された筒状のスリーブ３０を備えている。スリーブ３０は、下部に位置する大径筒部３０ａと、大径筒部３０ａの上端から上方に向けて延び、かつ大径筒部３０ａより内径が小さい小径筒部３０ｂと、小径筒部３０ｂの上端から上方に向けて延び、かつ小径筒部３０ｂより内径が大きいシール筒部３０ｃと、を備えている。小径筒部３０ｂの上端部は、径方向外側に向けて屈曲し、第２筒部２２の上端開口縁上に係止されている。シール筒部３０ｃは、第３筒部２３の内周面から径方向内側に離間している。
【００２５】
図示の例では、シール筒部３０ｃの上端開口縁、および第３筒部２３の上端開口縁それぞれの上下方向の位置が互いに一致している。シール筒部３０ｃの上端部には、複数の溝部３０ｄが周方向に間隔をあけて形成されている。溝部３０ｄは、シール筒部３０ｃを径方向に貫き、かつ上方に向けて開口している。
【００２６】
第４筒部２４のほぼ上半分（以下、シリンダ２０の上端部２０ａという）は、容器本体１０から上方に突出している。シリンダ２０の上端部２０ａの内周面に、断面半円形の縦溝３１が周方向に等間隔をあけて複数設けられ、シリンダ２０の上端部２０ａの外周面に、第１突部２４ａが設けられている。シリンダ２０の上端部２０ａに、容器軸Ｏと同軸に配置された回動環４０が、周方向に回動可能で上下方向に移動不能に外装されている。
【００２７】
回動環４０の上端部には、上端に位置するネック筒部４１ａと、ネック筒部４１ａより大径に形成されるとともに、ネック筒部４１ａの下端に連なる取付筒部４１ｂと、が備えられている。取付筒部４１ｂの内側に、下部開口がシリンダ２０内に位置する吐出管５０の上端部が配置されている。
【００２８】
吐出管５０は、例えばポリプロピレン若しくはポリエチレン等の樹脂材料で形成され、容器軸Ｏと同軸に配置されるとともに、後述する中継部材４２の頂板部４６の内側、およびシリンダ２０の内側に一体に挿入されている。
吐出管５０は、図２に示されるように、頂板部４６の内側から下方に向けて延びる本体部５０ａと、本体部５０ａの上端部から上方に向けて延びる外側突出部５０ｂと、外側突出部５０ｂの上端部から径方向の外側に向けて突出した下フランジ部５０ｃと、を備える。
【００２９】
本体部５０ａは、頂板部４６内に嵌合されている。本体部５０ａの下端縁は、シリンダ２０の第３筒部２３の内側に位置している。外側突出部５０ｂは、頂板部４６より上方に位置している。外側突出部５０ｂの内径および外径は、本体部５０ａの内径および外径より大きい。吐出管５０の上部に吐出弁５１が設けられている。外側突出部５０ｂの内周面に、径方向の内側に向けて突出する支持突部５０ｄが、周方向に同等の間隔をあけて３つ以上形成されている。支持突部５０ｄは６つ設けられている。なお、支持突部５０ｄを、外側突出部５０ｂの内周面に形成しなくてもよい。
【００３０】
下フランジ部５０ｃの下面に、下方に向けて突出し、外側突出部５０ｂの外周面を径方向の外側から囲う囲繞筒５０ｆが形成されている。囲繞筒５０ｆの下端部は、外側突出部５０ｂの下端部より上方に位置している。
外側突出部５０ｂの外周面と、囲繞筒５０ｆの内周面と、を連結する補強リブ５０ｇが、周方向に同等の間隔をあけて３つ以上配設されている。補強リブ５０ｇは、下フランジ部５０ｃの下面から下方に向けて突出し、囲繞筒５０ｆにおける上下方向の全長にわたって配設されている。補強リブ５０ｇは、表裏面が周方向を向く板状に形成されている。
【００３１】
吐出弁５１は、吐出管５０の上部開口を閉塞している。吐出弁５１は、吐出管５０に固定され、かつ下端部５３ａが吐出管５０の本体部５０ａ内に挿入された入口筒５３と、入口筒５３に対して上方付勢状態で下方移動可能に配設され、かつ上端部５２ａに吐出ヘッド５６が装着された出口筒５２と、出口筒５２内と入口筒５３内との連通を遮断し、かつ出口筒５２の入口筒５３に対する下方移動時に、入口筒５３内と出口筒５２内とを連通させる弁体５４と、出口筒５２を上方付勢するスプリング５５と、を備える。
【００３２】
入口筒５３は、吐出管５０の本体部５０ａの上端部内に挿入された下端部５３ａと、外周面が外側突出部５０ｂの内周面に当接、若しくは近接し、かつ上端部が外側突出部５０ｂの上端部より上方に位置した内側突出部５３ｂと、内側突出部５３ｂの上端部から径方向の外側に向けて突出し、下面が下フランジ部５０ｃの上面に当接、若しくは近接した上フランジ部５３ｃと、を備える。
内側突出部５３ｂは、下端部５３ａの上端から上方に延びている。内側突出部５３ｂの内径および外径は、下端部５３ａの内径および外径より大きい。入口筒５３の下端部５３ａの外周面と、吐出管５０の本体部５０ａの内周面と、の間に、径方向の隙間が設けられている。
【００３３】
入口筒５３における下端部５３ａと内側突出部５３ｂとの接続部分は環状の段部５３ｄとされ、段部５３ｄの下面、および吐出管５０の本体部５０ａの上端開口縁が、上下方向に互いに対向している。図示の例では、段部５３ｄの下面と、吐出管５０の本体部５０ａの上端開口縁と、の間に、上下方向の隙間が設けられている。なお、段部５３ｄの下面と、吐出管５０の本体部５０ａの上端開口縁と、を互いに当接させてもよい。
【００３４】
上フランジ部５３ｃの下面と下フランジ部５０ｃの上面との間の少なくとも一部に、全周にわたって連続して延びる環状シール部１０１が配設されている。環状シール部１０１は、例えば軟質樹脂やゴム等の弾性材料で形成される。環状シール部１０１は、上フランジ部５３ｃおよび下フランジ部５０ｃそれぞれの外周部同士の間に配設されている。
上フランジ部５３ｃの下面に、環状シール部１０１内に嵌合された環状突起５３ｅが形成されている。下フランジ部５０ｃの上面に、環状突起５３ｅが挿入された環状溝５０ｅが形成されている。
なお、環状突起５３ｅを下フランジ部５０ｃの上面に形成し、環状溝５０ｅを上フランジ部５３ｃの下面に形成してもよい。また、環状突起５３ｅ、および環状溝５０ｅを設けなくてもよい。
【００３５】
出口筒５２は、入口筒５３から上方に突出した上端部５２ａと、入口筒５３の内側突出部５３ｂの内側に配置された下部５２ｂと、を備える。下部５２ｂの外周面と、入口筒５３の内側突出部５３ｂの内周面と、の間には、入口筒５３の下端部５３ａの内側を通して、吐出管５０の本体部５０ａ内に連通する連絡隙間１２５が設けられている。出口筒５２の上端部５２ａは有底筒状に形成されている。上端部５２ａに、その内側と連絡隙間１２５とを連通可能な連通孔１１８が形成されている。
【００３６】
弁体５４は環状に形成され、その内側に出口筒５２が密に嵌合され、弁体５４の内周面が、出口筒５２の連通孔１１８を閉塞している。弁体５４の下面における外周部は、入口筒５３の上フランジ部５３ｃの上面に載置されている。
ここで、出口筒５２の下部５２ｂには、下方に向けて開口し、かつ容器軸Ｏと同軸に配置された環状溝が形成されている。この環状溝内にスプリング５５の上部が挿入されて支持され、スプリング５５の下端が、入口筒５３の段部５３ｄの上面に支持されている。
【００３７】
以上の構成において、出口筒５２を、スプリング５５の上方付勢力に抗して入口筒５３に対して下方移動させると、出口筒５２が、弁体５４の内周縁部を下方に向けて弾性変形させることで、出口筒５２の連通孔１１８が開放される。これにより、吐出管５０の本体部５０ａ内と、出口筒５２の上端部５２ａ内と、が、入口筒５３の下端部５３ａ内、連絡隙間１２５、および連通孔１１８を通して連通する。なお、吐出弁５１は、このような作用が奏される構成であれば適宜変更してもよい。
【００３８】
ここで、吐出管５０および吐出弁５１は、有頂筒状の加締め金具１０２により一体に固定されている。加締め金具１０２の頂壁は、環状に形成されるとともに、容器軸Ｏと同軸に配置されている。この頂壁の内側に、出口筒５２の上端部５２ａが下方に向けて摺動可能に嵌合されている。加締め金具１０２のうち、周壁内に吐出管５０の下フランジ部５０ｃが嵌合され、頂壁の下面に上フランジ部５３ｃの上面、および弁体５４の上面が圧接している。加締め金具１０２の周壁が、回動環４０の取付筒部４１ｂの内側に配置されている。
【００３９】
吐出ヘッド５６には、内容液の吐出口５６ａが形成されるとともに、回動環４０のネック筒部４１ａ内に挿入された装着筒部５６ｂが備えられている。装着筒部５６ｂ内に、出口筒５２の上端部５２ａが嵌合されている。吐出口５６ａは、吐出ヘッド５６内に設けられた流路を通して出口筒５２の上端部５２ａ内に連通している。
【００４０】
シリンダ２０内には、図１に示されるように、容器軸Ｏと同軸に配置された筒状のプランジャ６０が上下動可能に配設されている。プランジャ６０は、上下動に伴い、シリンダ２０の内周面、および吐出管５０の外周面を液密に摺動する。
プランジャ６０は、駆動筒部６１とスカート部６２とを備えている。
駆動筒部６１は、下筒部６３と、下筒部６３より径方向外側に位置する上筒部６４と、これらを連結する環板部６５と、を備える。環板部６５の内周縁部は、下筒部６３から径方向内側に突出し、その内端縁が上下両方向に延びている。
【００４１】
下筒部６３の外径は、スリーブ３０の小径筒部３０ｂの内径よりも小さい。下筒部６３の外周面には、下方に向けて開口するとともに上下方向に延在する連通溝６３ａが形成されている。
なお、連通溝６３ａは、下筒部６３の外周面に１つのみ形成してもよく、また、周方向に互いに間隔をあけて複数形成してもよい。以下では、下筒部６３において連通溝６３ａが形成されている部分を下筒部６３の下側部分と称し、下筒部６３において前記下側部分よりも上側の部分を上側部分と称する。
【００４２】
下筒部６３内に、スカート部６２が嵌合されている。スカート部６２は、下筒部６３内に嵌合された支持筒部６６と、支持筒部６６の下端部から径方向外側に向けて突出するとともに、下方に向けて延びるシール脚筒部６７と、支持筒部６６の下端部から下方に向けて延びる押さえ脚部６８と、を備える。
【００４３】
支持筒部６６の内径は、環板部６５の内径と同等で、かつ吐出管５０の外径よりも僅かに大きい。支持筒部６６の上端開口縁における内周縁部と、環板部６５の前記内端縁の下端と、の間には、ゴム製のシールリング６９が配設されている。シールリング６９は、駆動筒部６１とスカート部６２と吐出管５０との間を液密にシールしつつ、吐出管５０の外周面を液密に摺動する。
【００４４】
シール脚筒部６７は、駆動筒部６１の下筒部６３から下方に突出している。シール脚筒部６７の外径は、下筒部６３の外径と同等になっている。シール脚筒部６７の下端部は、下方に向かうに従い漸次拡径したテーパー筒部６７ａとされている。テーパー筒部６７ａの下端縁の外径は、スリーブ３０の大径筒部３０ａの内径よりも小さく、テーパー筒部６７ａと大径筒部３０ａとの間には径方向の隙間が設けられている。テーパー筒部６７ａの下端縁の外径は、スリーブ３０の小径筒部３０ｂの内径と同等か若干大きくなっている。テーパー筒部６７ａは、小径筒部３０ｂの内周面を摺動する。
【００４５】
押さえ脚部６８は、周方向に間隔をあけて複数配置されている。各押さえ脚部６８は、プランジャ６０が最下限位置に位置した時に吸込弁２９の弁体２９ａの上面を押圧する。これにより、弁体２９ａが、押さえ脚部６８と弁座部２６とにより上下方向で挟まれ、弁体２９ａの移動が規制される。
そして、シリンダ２０と吸込弁２９と吐出管５０とプランジャ６０とによって囲まれた空間は、吸込弁２９を通して容器本体１０内からシリンダ２０内に流入した内容液が溜められる加圧室９３となっている。
【００４６】
回動環４０とプランジャ６０との間には、回動環４０のシリンダ２０に対する回転動作を、プランジャ６０のシリンダ２０および吐出管５０に対する上昇動作に変換する変換機構７５が設けられている。以下、この変換機構７５について説明する。
【００４７】
プランジャ６０のうち、シリンダ２０の第４筒部２４内に位置する上筒部６４の外周面には、周方向に互いに間隔をあけて配置され上下方向に延びる複数の垂直溝７０ｂと、周方向で互いに隣り合う垂直溝７０ｂの上端と下端とを連結する傾斜溝７０ａと、を備える断面半円形のカム溝７０が、周方向の全周にわたって形成されている。
このカム溝７０、およびシリンダ２０の縦溝３１には、ボール７１が一体に回動可能に係合している。すなわち、ボール７１の半分はカム溝７０に挿入され、残りの半分が縦溝３１に挿入されている。
【００４８】
中継部材４２は、プランジャ６０を、回動環４０に対して相対回転不能で、上下方向に相対移動可能に支持している。
中継部材４２は、シリンダ２０の第４筒部２４を径方向外側から囲む外側筒部４３と、外側筒部４３の径方向内側に配置された内側筒部４４と、外側筒部４３および内側筒部４４の各上端同士を連結する環状の頂板部４６と、頂板部４６から上方に突出した上筒部４５と、を備える。
【００４９】
頂板部４６の内周縁部は、内側筒部４４から径方向内側に突出している。頂板部４６の上面における内周縁部に、本体部５０ａの上端部と外側突出部５０ｂの下端部との接続部分が当接、若しくは近接している。
外側筒部４３の内周面には、シリンダ２０の上端部２０ａの外周面に形成された第１突部２４ａに、第１突部２４ａの下方から係合する第２突部４３ａが形成されている。
【００５０】
上筒部４５は、外側筒部４３より小径で、かつ内側筒部４４より大径となっている。上筒部４５の外周面には、回動環４０の内面に形成された第１溝部４０ａに係合する第３突部４５ａが形成されている。回動環４０の第１溝部４０ａに、中継部材４２の第３突部４５ａが係合することによって、回動環４０および中継部材４２の相対的な周方向の回転移動が規制される。
【００５１】
内側筒部４４の外周面には、駆動筒部６１の上筒部６４の内周面に形成された第２溝部６４ａに係合する第４突部４４ａが形成されている。第４突部４４ａは、第２溝部６４ａに相対的に下方移動可能に係合されている。プランジャ６０の第２溝部６４ａに、中継部材４２の第４突部４４ａが係合することによって、プランジャ６０および中継部材４２の相対的な周方向の回転移動が規制された状態で、プランジャ６０の中継部材４２に対する上昇移動が許容される。
【００５２】
プランジャ６０は、中継部材４２との間に介装されたスプリング（付勢部）４７によって下方に付勢されている。従って、前記ボール７１は、回動環４０を回動操作する間において常に、シリンダ２０の縦溝３１の下端と、カム溝７０の上壁面と、により上下方向に挟まれる。
【００５３】
以上の構成において、ボール７１が傾斜溝７０ａの上端に係合している状態で、回動環４０を容器本体１０に対して回転させると、図３に示すように、ボール７１がそのままの高さ位置で傾斜溝７０ａに沿って該傾斜溝７０ａを相対的に下っていく状態となるので、プランジャ６０が上昇する。この際、プランジャ６０がスプリング４７を圧縮する。
そして、図４に示すように、回動環４０のさらなる回転に伴って、ボール７１がそのままの高さ位置でカム溝７０の傾斜溝７０ａの下端から垂直溝７０ｂの下端に移行すると、スプリング４７の弾性復元力によってプランジャ６０は下降可能となる。プランジャ６０が下降すると、ボール７１は垂直溝７０ｂを相対的に上昇することとなり、最終的に隣接する傾斜溝７０ａの上端に達する。
【００５４】
このようにプランジャ６０が、回動環４０に対して相対回転不能で上下方向に相対移動可能に配設され、シリンダ２０とプランジャ６０とが、縦溝３１とカム溝７０とボール７１とで構成されたカム機構を介して連結されているので、回動環４０を容器本体１０に対して回転させることによって、プランジャ６０をスプリング４７の下方付勢力に抗して上昇させることができ、その後、スプリング４７の弾性復元力によってプランジャ６０を下降させることができる。
なお上述したように、ボール７１は、同じ高さ位置を維持したまま、回動環４０の回転操作に伴って、傾斜溝７０ａおよび垂直溝７０ｂからなるカム溝７０が相対的に移動するため、プランジャ６０がシリンダ２０に対して上下動する。
【００５５】
中継部材４２の頂板部４６において、外側筒部４３と上筒部４５との間に位置する部分に、上下方向に貫く空気孔４６ａが周方向に間隔をあけて複数形成されている。スプリング４７の上端部は、頂板部４６の下面における内周縁部に支持され、スプリング４７の下端部は、プランジャ６０の環板部６５の上面に支持されている。スプリング４７の下端部の内側に、環板部６５の前記内端縁のうち上方に突出した部分が挿入されている。
【００５６】
シリンダ２０の第３筒部２３の上端部には、等圧弁８０が配置されている。
等圧弁８０は、円環状に形成されるとともに容器軸Ｏと同軸に配置されている。等圧弁８０は、下面が第３筒部２３およびシール筒部３０ｃそれぞれの上端開口縁に支持された弁本体８４と、シール筒部３０ｃに対して離反可能に当接した第１弁部８１と、下筒部６３の外周面上を摺動する第２弁部８２と、プランジャ６０に対して離反可能に当接した第３弁部８３と、を備えている。なお、等圧弁８０は例えば軟質樹脂やゴム等の弾性材料で形成される。
【００５７】
シリンダ２０とプランジャ６０との間には、等圧弁８０を間に挟んで下側に液圧逃がし通路９１が形成され、上側に空気流入通路９２が形成されている。
【００５８】
液圧逃がし通路９１は、プランジャ６０のテーパー筒部６７ａがスリーブ３０の大径筒部３０ａと径方向で対向している時に加圧室９３に連通し、図３および図４に示すように、テーパー筒部６７ａが小径筒部３０ｂに圧接している時に加圧室９３との連通が遮断される。すなわち、液圧逃がし通路９１は、シリンダ２０の内周面とプランジャ６０の外周面との間に設けられ、プランジャ６０が最下限位置に位置した時には加圧室９３に連通し、プランジャ６０が最下限位置より上方に位置した時には加圧室９３との連通が遮断される。液圧逃がし通路９１は、第３筒部２３に形成された等圧孔２７を通して容器本体１０内と連通可能とされている。
【００５９】
空気流入通路９２は、シリンダ２０の内周面とプランジャ６０の外周面との間に設けられ、プランジャ６０の駆動筒部６１とシリンダ２０の第４筒部２４との間の隙間、カム溝７０、シリンダ２０の縦溝３１、および中継部材４２の空気孔４６ａ等を通して外部に連通して外気導入可能となっている。
【００６０】
第１弁部８１は、弁本体８４から下方に延びるとともに容器軸Ｏと同軸に配置された筒状となっている。第１弁部８１の下端部は、スリーブ３０のシール筒部３０ｃの外周面に離反可能に当接し、等圧孔２７を開放可能に閉塞している。等圧孔２７は、第１弁部８１の下端部がシール筒部３０ｃの外周面から離反したときに、容器本体１０内と液圧逃がし通路９１とを連通する。
図示の例では、第１弁部８１の下端部は、シール筒部３０ｃの外周面において、溝部３０ｄよりも下側に位置する部分に当接している。第１弁部８１は、液圧逃がし通路９１内の圧力と容器本体１０内の圧力との差によって動作して容器本体１０内から液圧逃がし通路９１への流通を阻止し、液圧逃がし通路９１から容器本体１０内への流通のみを許容する逆止弁として機能する。
【００６１】
第２弁部８２は、弁本体８４の内周面に形成されるとともに、径方向内側に向けて突出し、全周にわたって連続して延びる環状突部となっている。第２弁部８２は、例えば上下方向に間隔をあけて２つ形成されてもよい。第２弁部８２は、駆動筒部６１の下筒部６３の上側部分に液密に摺動可能に外嵌されている。第２弁部８２が、下筒部６３の下側部分を摺動する時には、下筒部６３の外周側において第２弁部８２に対して上方に位置する部分と下方に位置する部分とが前記連通溝６３ａを通して連通する。すなわち、第２弁部８２は、下筒部６３の上側部分を摺動する時は閉弁状態であり、下筒部６３の下側部分を摺動する時は開弁状態となる。
【００６２】
第３弁部８３は、弁本体８４において第１弁部８１よりも径方向内側に位置する部分から下方に向けて延びている。第３弁部８３は、容器軸Ｏと同軸に配置された筒状に形成されている。第３弁部８３の下端部は、駆動筒部６１の下筒部６３の上側部分、およびスカート部６２のシール脚筒部６７に、液密に摺動可能に外嵌されている。第３弁部８３の下端部が、下筒部６３の下側部分を摺動する時には、下筒部６３の外周側において第３弁部８３に対して上方に位置する部分と下方に位置する部分とが前記連通溝６３ａを通して連通する。すなわち、第３弁部８３は、下筒部６３の上側部分およびシール脚筒部６７を摺動する時は閉弁状態であり、下筒部６３の下側部分を摺動する時は開弁状態となる。
【００６３】
第３弁部８３は、第２弁部８２が開弁状態にあるときに、液圧逃がし通路９１内の圧力と空気流入通路９２内の圧力との差によって開閉するようになっていて、液圧逃がし通路９１から空気流入通路９２への流通を阻止し、空気流入通路９２から液圧逃がし通路９１への流通のみを許容する逆止弁として機能する。
このように等圧弁８０は、液圧逃がし通路９１と空気流入通路９２との間に設けられ、等圧孔２７を開閉するとともに、プランジャ６０の外周面を上下摺動することにより、液圧逃がし通路９１と空気流入通路９２との連通、およびその遮断を切り替える。
また、本実施形態では、シリンダ２０との間で等圧弁８０を上下方向に挟み等圧弁８０をシリンダ２０に固定する固定具８６が備えられている。図示の例では、固定具８６は、容器軸Ｏと同軸に配置された円環状に形成され、シリンダ２０の内面との間で等圧弁８０を上下方向に挟んでいる。
【００６４】
（液体吐出容器の作用）
次に、上記のように構成された液体吐出容器１の作用を説明する。
＜非加圧状態＞
図１に示すように、液体吐出容器１の非使用時の状態である非加圧状態においては、吸込弁２９および吐出弁５１が閉弁状態になっており、プランジャ６０が最下限位置に位置しているとともに、押さえ脚部６８が吸込弁２９の弁体２９ａの上面を押圧している。また、液圧逃がし通路９１は加圧室９３に連通している。
【００６５】
等圧弁８０の第１弁部８１は、シリンダ２０におけるスリーブ３０のシール筒部３０ｃに圧接して液圧逃がし通路９１と容器本体１０内との連通を遮断している。第２弁部８２および第３弁部８３は、いずれもプランジャ６０における下筒部６３の上側部分に圧接して液圧逃がし通路９１と空気流入通路９２との連通を遮断している。
なお、吐出弁５１は、吐出ヘッド５６を押し下げない限り、閉弁状態に維持される。
【００６６】
＜ポンプアップ操作 − 前半＞
前記非加圧状態から回動環４０を容器本体１０に対して周方向に回転させると、プランジャ６０がスプリング４７を圧縮しながら上昇する。プランジャ６０の上昇により押さえ脚部６８は吸込弁２９の弁体２９ａから上方に離間し、弁体２９ａは開弁可能になる。
ここで、最下限位置からプランジャ６０のテーパー筒部６７ａがスリーブ３０の小径筒部３０ｂに圧接する直前までのプランジャ６０の移動範囲を、以下、下部移動域と称する。この下部移動域においては、等圧弁８０の第２弁部８２および第３弁部８３は両方ともプランジャ６０の下筒部６３の上側部分に圧接しており、液圧逃がし通路９１と空気流入通路９２との連通を遮断し続ける。
【００６７】
そして、図３に示すように、プランジャ６０が下部移動域を超えて、プランジャ６０のテーパー筒部６７ａがスリーブ３０の小径筒部３０ｂに圧接すると、それ以後のプランジャ６０の上昇に伴い加圧室９３が負圧となり、この負圧によって吸込弁２９の弁体２９ａが弁座部２６から上方に離間して開弁する。
その結果、容器本体１０内の内容液が、吸込管２８の下端開口から吸い上げられ、この吸込管２８を通った後、吸込口２１ａから加圧室９３内に流入する。
【００６８】
この際、等圧弁８０の第２弁部８２は、プランジャ６０の下筒部６３の上側部分に圧接し続けるため、液圧逃がし通路９１と空気流入通路９２との連通が遮断された状態に保たれる。
なお、テーパー筒部６７ａがスリーブ３０の小径筒部３０ｂに圧接し始めるのとほぼ同時に、等圧弁８０の第３弁部８３の下端部が下筒部６３の下側部分を摺動し、第３弁部８３が開弁状態になる。また、テーパー筒部６７ａは、プランジャ６０が最上限位置に至るまで、すなわちポンプアップが完了するまで、スリーブ３０の小径筒部３０ｂに圧接し続ける。
【００６９】
そして、内容液のポンプアップに伴い、容器本体１０内は減圧されて負圧になり、この負圧によって等圧弁８０の第１弁部８１がスリーブ３０のシール筒部３０ｃから離間して開弁し、液圧逃がし通路９１内の内容液が等圧孔２７から容器本体１０内に流入する。
【００７０】
＜ポンプアップ操作 − 後半＞
回動環４０の回転によりボール７１がカム溝７０における傾斜溝７０ａの下端近傍に達すると、プランジャ６０の下筒部６３の上側部分が等圧弁８０の第２弁部８２から上方に離脱して下筒部６３の下側部分を第２弁部８２が摺動するとともに、プランジャ６０のスカート部６２のシール脚筒部６７が第３弁部８３の下端部に圧接し始める。
ここで、この位置から最上限位置までのプランジャ６０の移動範囲を、以下、上部移動域と称する。
【００７１】
この上部移動域においては、等圧弁８０の第２弁部８２は開弁状態となり、第３弁部８３は、空気流入通路９２から液圧逃がし通路９１への流通を許容しその逆方向の流通を阻止する逆止弁として機能する。
【００７２】
ところで、前述したように液圧逃がし通路９１は、容器本体１０内に連通して負圧になっているので、この負圧により第３弁部８３は、シール脚筒部６７から離間して開弁状態となる。その結果、空気流入通路９２が、液圧逃がし通路９１および等圧孔２７を通して容器本体１０内に連通し、大気がこれらの通路を通って容器本体１０内に流入し、容器本体１０内が大気圧になる。この状態はプランジャ６０が最上限位置に至るまで継続する。
【００７３】
そして、図４に示すように、ボール７１が傾斜溝７０ａの下端、すなわち垂直溝７０ｂの下端に達すると、回動環４０の回転は停止され、プランジャ６０が最上限位置に位置することとなる。これにより、内容液のポンプアップは完了し、吸込弁２９の弁体２９ａが弁座部２６に着座して吸込弁２９は閉弁する。
また、ポンプアップ完了と同時に、等圧弁８０の第１弁部８１がシール筒部３０ｃに圧接して閉弁し、第３弁部８３がシール脚筒部６７に圧接して閉弁する。従って、この状態で液体吐出容器１を横転させたとしても内容液が液体吐出容器１の外へ漏洩することはない。
【００７４】
なお、吐出弁５１が閉弁されている限り加圧室９３は内容液で充填されているため密閉空間となるので、スプリング４７の弾性復元力がプランジャ６０に作用していても、このままではプランジャ６０が下降することはない。
【００７５】
＜吐出操作＞
前述のように内容液をポンプアップした後、図５に示すように、吐出ヘッド５６を押し下げると、吐出弁５１の出口筒５２が、スプリング５５の上方付勢力に抗して入口筒５３に対して下方移動する。この際、出口筒５２が、弁体５４の内周縁部を下方に向けて弾性変形させることで、出口筒５２の連通孔１１８が開放される。これにより、吐出口５６ａと加圧室９３とが、出口筒５２の上端部５２ａ内、連通孔１１８、連絡隙間１２５、入口筒５３の下端部５３ａ内、および吐出管５０の本体部５０ａ内を通して連通する。
その結果、スプリング４７の弾性復元力によりプランジャ６０が下降し、加圧室９３内の内容液が吐出口５６ａから吐出される。なお、プランジャ６０の下降時、ボール７１はカム溝７０の垂直溝７０ｂをプランジャ６０に対して相対的に上昇する。
【００７６】
プランジャ６０の最下限位置に向けた下降に伴い、液圧逃がし通路９１内は負圧になるが、この負圧により等圧弁８０の第３弁部８３はシール脚筒部６７から離間し開弁状態となるので、空気流入通路９２から液圧逃がし通路９１に大気が流入する。
プランジャ６０が下降して下筒部６３の上側部分が等圧弁８０の第２弁部８２に圧接し始めると、すなわちプランジャ６０が上部移動域を脱すると液圧逃がし通路９１は密閉されるので、それ以降はプランジャ６０のテーパー筒部６７ａがスリーブ３０の小径筒部３０ｂから離脱するまでの間、すなわち下部移動域に達するまでの間、プランジャ６０の下降に伴い液圧逃がし通路９１は減圧されて若干負圧化する。
【００７７】
＜吐出終了＞
吐出ヘッド５６の押し下げ操作によりプランジャ６０が下降し、図１に示すように、プランジャ６０のテーパー筒部６７ａがスリーブ３０の小径筒部３０ｂから下方に離脱して大径筒部３０ａの径方向内側に位置すると、すなわちプランジャ６０が下部移動域に到達すると、液圧逃がし通路９１が加圧室９３に連通するため液圧逃がし通路９１内に加圧室９３内の正圧が伝達される。
【００７８】
その結果、液圧逃がし通路９１内の圧力が容器本体１０内の圧力よりも大きくなり、等圧弁８０の第１弁部８１が、スリーブ３０のシール筒部３０ｃから離間し、加圧室９３内の内容液（内圧）が、液圧逃がし通路９１および等圧孔２７を通って容器本体１０内に流入し、これに伴い加圧室９３内の圧力が減圧されて、吐出口５６ａからの内容液の吐出が止まる。
以上により、液体吐出容器１からの内容液の吐出が終了する。
【００７９】
以上説明したように、本実施形態に係る液体吐出容器１によれば、入口筒５３の下端部５３ａの外周面と、吐出管５０の本体部５０ａの内周面と、の間に、径方向の隙間が設けられているので、吐出弁５１から吐出管５０に径方向の外側に向けた力が加えられるのを抑制することが可能になり、吐出管５０にかかる負荷を抑えることができる。
また、上フランジ部５３ｃの下面と下フランジ部５０ｃの上面との間の少なくとも一部に、全周にわたって連続して延びる環状シール部１０１が配設されているので、吐出弁５１の入口筒５３と吐出管５０との間のシール性を確保することができる。
【００８０】
また、入口筒５３における内側突出部５３ｂの外周面と、吐出管５０における外側突出部５０ｂの内周面と、が互いに当接、若しくは近接し、かつ入口筒５３における上フランジ部５３ｃの下面と、吐出管５０における下フランジ部５０ｃの上面と、が互いに当接、若しくは近接しているので、入口筒５３の下端部５３ａの外周面と、吐出管５０の本体部５０ａの内周面と、の間の径方向の隙間を通して、加圧室９３に連通し得る、入口筒５３と吐出管５０との間の空間をほぼ無くすことができる。したがって、回動環４０をシリンダ２０に対して回転させ、プランジャ６０をシリンダ２０および吐出管５０に対して上昇させることで、加圧室９３を負圧にして吸込弁２９を開き、容器本体１０内の内容液を加圧室９３に溜めるときに、入口筒５３と吐出管５０との間の空気が、前記隙間を通して加圧室９３に流入するのを防ぐことが可能になり、加圧室９３に溜められる内容液の量を安定させることができる。
【００８１】
また、外側突出部５０ｂの内周面に、径方向の内側に向けて突出する支持突部５０ｄが、周方向に間隔をあけて複数形成されているので、入口筒５３を吐出管５０に挿入する際に、入口筒５３の外周面に、複数の支持突部５０ｄが摺接することとなり、入口筒５３および吐出管５０の径方向の相対位置を容易に決めることができる。
支持突部５０ｄが６つ設けられていることから、入口筒５３を吐出管５０に挿入する際に、入口筒５３および吐出管５０の径方向の相対位置を容易かつ確実に決めることができる。
【００８２】
また、上フランジ部５３ｃの下面に、下フランジ部５０ｃの上面に形成された環状溝５０ｅに挿入され、かつ環状シール部１０１内に嵌合された環状突起５３ｅが形成されているので、吐出弁５１の入口筒５３と吐出管５０との間のシール性を確実に確保することができる。
【００８３】
ここで、容器本体１０内に収容される内容液が、例えば化粧料、洗剤、および薬剤等の場合、特にアルコール、界面活性剤、および油分等といった樹脂材料への浸透性が高い液剤を多く含有している場合には、内容液が吐出管５０に浸透し、吐出管５０が劣化しやすいため、吐出管５０にかかる負荷を抑える前述の作用効果が顕著に奏功される。
【００８４】
次に、本発明の第２実施形態に係る液体吐出容器２を、図６を参照しながら説明する。
なお、この第２実施形態においては、第１実施形態における構成要素と同一の部分については同一の符号を付し、その説明を省略し、異なる点についてのみ説明する。
【００８５】
本実施形態では、支持突部５０ｄが、外側突出部５０ｂの内周面に形成され、内側突出部５３ｂの外周面に当接している。支持突部５０ｄは、径方向から見て円形状、若しくは矩形状等を呈する。支持突部５０ｄの周方向の大きさは、補強リブ５０ｇの周方向の大きさと同等になっている。上下方向から見て、支持突部５０ｄのうち、周方向の両端部は、径方向の内側に向けて突の曲面状に形成され、これらの間に位置する周方向の中間部分は、径方向の外側に向けて窪む曲面状に形成され、その曲率半径が、内側突出部５３ｂの外周面の半径と同等になっている。
【００８６】
支持突部５０ｄ、および補強リブ５０ｇそれぞれの周方向の位置が、互いに同等になっている。支持突部５０ｄ、および補強リブ５０ｇは６つずつ設けられ、６つ全てについて、支持突部５０ｄ、および補強リブ５０ｇそれぞれの周方向の位置が、互いに同等になっている。
支持突部５０ｄは、下フランジ部５０ｃの下面のうち、外側突出部５０ｂと囲繞筒５０ｆとの間に位置する内周部５０ｈより上方に位置している。支持突部５０ｄの全体が、下フランジ部５０ｃの下面の内周部５０ｈより上方に位置している。
【００８７】
以上説明したように、本実施形態に係る液体吐出容器２によれば、支持突部５０ｄが、内側突出部５３ｂの外周面に当接しているので、入口筒５３を吐出管５０に挿入する際に、入口筒５３および吐出管５０の径方向の相対位置を容易かつ確実に決めることができる。
外側突出部５０ｂの外周面と、囲繞筒５０ｆの内周面と、を連結する補強リブ５０ｇが配設されているので、外側突出部５０ｂの拡径変形を抑えることが可能になり、外側突出部５０ｂに亀裂が発生するのを抑制することができる。
補強リブ５０ｇ、および支持突部５０ｄそれぞれの周方向の位置が、互いに同等になっているので、内側突出部５３ｂから支持突部５０ｄを介して外側突出部５０ｂに径方向の外側に向けた力が加えられても、外側突出部５０ｂが拡径変形するのを、補強リブ５０ｇにより効果的に抑えることができる。
【００８８】
支持突部５０ｄが、下フランジ部５０ｃの下面の内周部５０ｈより上方に位置しているので、吐出管５０のうち、内側突出部５３ｂから支持突部５０ｄを介して径方向の外側に向けた力が加えられる部分の径方向の肉厚を厚くすることが可能になり、外側突出部５０ｂに亀裂が発生するのを抑制することができ、仮に亀裂が発生してもこの亀裂が吐出管５０の外面に到達するのを抑制することができる。
支持突部５０ｄが、下フランジ部５０ｃの下面の内周部５０ｈより上方に位置していることから、外側突出部５０ｂの内周面と内側突出部５３ｂの外周面との当接箇所を少なく抑えることが可能になり、内側突出部５３ｂから支持突部５０ｄを介して外側突出部５０ｂに加えられる負荷を抑制することができる。
【００８９】
支持突部５０ｄが、外側突出部５０ｂの内周面に形成されているので、入口筒５３を吐出管５０に挿入する際に、支持突部５０ｄを、入口筒５３の外周面における上下方向の長い範囲にわたって摺接させることが可能になり、セット性を向上させることができる。
【００９０】
次に、本発明の第３実施形態に係る液体吐出容器３を、図７を参照しながら説明する。
なお、この第３実施形態においては、第２実施形態における構成要素と同一の部分については同一の符号を付し、その説明を省略し、異なる点についてのみ説明する。
【００９１】
本実施形態では、支持突部５０ｄの上端部が、下フランジ部５０ｃの下面の内周部５０ｈより上方に位置し、支持突部５０ｄの下端部が、下フランジ部５０ｃの下面の内周部５０ｈより下方に位置している。支持突部５０ｄは、径方向から見て、上下方向に長い長方形状を呈する。径方向から見て、支持突部５０ｄにおける上端部、および下端部は、上下方向の外側に向けて突の曲線状を呈する。支持突部５０ｄの、径方向の内側を向く内面は、上下方向から見て、外側突出部５０ｂの内周面が呈する円形状の弦をなしている。
以上説明したように、本実施形態に係る液体吐出容器３においても、第２実施形態の液体吐出容器２と同様の作用効果を有する。
【００９２】
なお、本発明の技術範囲は、上記実施形態に限定されるものではなく、本発明の趣旨を逸脱しない範囲において、種々の変更を加えることが可能である。
【００９３】
例えば、上記実施形態では、固定具８６および押さえ脚部６８をそれぞれ備えるものとしたが、これらは無くてもよい。また、変換機構７５は、回動環４０とプランジャ６０との間に設けられ回動環４０の回転動作をプランジャ６０の上昇動作に変換するものであればよく、上記実施形態で示したものに限られない。
また、上記実施形態では、等圧弁８０が第１弁部８１、第２弁部８２および第３弁部８３を備えるものとしたが、等圧孔２７を開閉するとともに、プランジャ６０の外周面を摺動して液圧逃がし通路９１と空気流入通路９２との連通、およびその遮断を切り替えるものであればこれに限られるのではない。
【００９４】
また、上記実施形態では、支持突部５０ｄを、外側突出部５０ｂの内周面に形成したが、内側突出部５３ｂの外周面に形成し、外側突出部５０ｂの内周面に当接させてもよい。
また、支持突部５０ｄ、および補強リブ５０ｇそれぞれの周方向の位置を、互いに異ならせてもよく、また、支持突部５０ｄの全体を、下フランジ部５０ｃの下面の内周部５０ｈより下方に位置させてもよい。
また、支持突部５０ｄ、および補強リブ５０ｇの各数量は、６つに限らず適宜変更してもよい。
【００９５】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００９６】
１、２、３  液体吐出容器
１０  容器本体
１２  容器本体の口部
２０  シリンダ
２０ａ  シリンダの上端部
２１ａ  吸込口
２９  吸込弁
４０  回動環
４２  中継部材
４６  頂板部
４７  スプリング（付勢部）
５０  吐出管
５０ａ  本体部
５０ｂ  外側突出部
５０ｃ  下フランジ部
５０ｄ  支持突部
５０ｅ  環状溝
５０ｆ  囲繞筒
５０ｇ  補強リブ
５０ｈ  内周部
５１  吐出弁
５２  出口筒
５２ａ  出口筒の上端部
５３  入口筒
５３ａ  入口筒の下端部
５３ｂ  内側突出部
５３ｃ  上フランジ部
５３ｅ  環状突起
５４  弁体
５６  吐出ヘッド
５６ａ  吐出口
６０  プランジャ
７５  変換機構
９３  加圧室
１０１  環状シール部
【図１】
2020055629.tif 000003
【図２】
2020055629.tif 000004
【図３】
2020055629.tif 000005
【図４】
2020055629.tif 000006
【図５】
2020055629.tif 000007
【図６】
2020055629.tif 000008
【図７】
2020055629.tif 000009